(57)【特許請求の範囲】
【請求項１】
棒状体を保持する保持体と、該保持体を連結してパネル側に固定される固定体と、該固定体と保持体の連結部間に介在される振動吸収体とから成り、保持体は、上部に棒状体を保持する受け台を有し、下部に頚片を介して連設された連結板を有し、固定体は、一側面が開放されたボックス部を有して、該ボックス部の上面に開放口と連通するスリットを形成し、振動吸収体は、一側面が開放されたボックス状を呈し、その上面に開放口と連通するスリットを形成して、固定体のボックス部内にセットされた振動吸収体の内部にその開放口から上記保持体の連結板を嵌入することにより、保持体と固定体とを連結するように構成したことを特徴とする防振型クリップ。
【請求項２】
振動吸収体のスリット周縁に、固定体のボックス部に形成されているスリットの周面を覆う延長片を一体に形成したことを特徴とする請求項１記載の防振型クリップ。
【請求項３】
保持体の下面と固定体のボックス部の上面間に、保持体の揺動を許容する隙間を画成したことを特徴とする請求項１乃至請求項２のいずれかに記載の防振型クリップ。
【請求項４】
棒状体を保持する保持体と、該保持体を連結してパネル側に固定される固定体と、該固定体と保持体の連結部間に介在される振動吸収体とから成り、保持体は、上部に棒状体を保持する受け台を有し、下部に一側面が開放されたボックス部を有して、該ボックス部の下面に開放口と連通するスリットを形成し、固定体は、上部に頚片を介して連設された連結板を有し、振動吸収体は、一側面が開放されたボックス状を呈し、その下面に開放口と連通するスリットを形成して、保持体のボックス部内にセットされた振動吸収体の内部に上記固定体の連結板を嵌入することにより、保持体と固定体とを連結するように構成したことを特徴とする防振型クリップ。
【請求項５】
振動吸収体のスリット周縁に、保持体のボックス部のスリットを経て当該ボックス部の下面を覆う延長片を一体に形成したことを特徴とする請求項４記載の防振型クリップ。
【発明の詳細な説明】
【０００１】
【発明の属する技術分野】
本発明は、例えば、自動車のアンチロックブレーキシステムに使用されるブレーキパイプや、アクセルペダルワイヤー・燃料パイプ等の長尺な棒状体をその振動を吸収しながら保持することのできる防振型クリップの改良に関するものである。
【０００２】
【従来の技術】
従来のこの種クリップとして、米国特許公報第５，１９０，２５１号に示すものが存する。
該従来の防振型クリップは、具体的には図示しないが、合成樹脂の一体成形品で、上記したブレーキパイプ等の棒状体を保持する横Ｃ字状を呈する受け台を両側に備えた保持部と、パネルに植設されたＴスタッドに固定される固定部と、柔軟性に富んだ蛇腹状を呈するウェブ部とから成り、上記保持部と固定部とは当該ウェブ部を介して上下方向に一体に連設される構成となっている。
【０００３】
そして、実際の使用に際しては、パネル側のＴスタッドに固定部を固定した状態を得て、保持部の各受け台内に棒状体を強制的に嵌め込むと、長尺な棒状体はパネル面に沿って整列した状態に保持され、又、斯る状態の下で、棒状体側又はパネル側に機械的な振動が生じたような場合には、当該振動を上記柔軟性に富んだ蛇腹状を呈するウェブ部の撓みで効果的に吸収して、一方側に生じる機械的な振動が他方側へ伝わることを防止できるものである。
【０００４】
【発明が解決しようとする課題】
然し乍ら、従来の防振型クリップにあって、柔軟性に富んだ蛇腹状を呈するウェブ部を振動吸収手段として利用することは、機械的な振動を吸収する上では、それなりの効果が期待できるかも知れないが、反面、斯る構成の採用が逆に禍して、以下の如き不都合が招来されている。
【０００５】
即ち、保持部の各受け台内に棒状体を強制的に嵌め込む場合には、上記ウェブ部が自身の柔軟形態で容易に変形して、各受け台内に棒状体をスムーズに嵌め込むことができないので、自ずと、棒状体の嵌め込み作業の効率が低下してしまうと共に、棒状体の保持状態にあっても、やはり、ウェブ部が容易に変形して、整列状態にある棒状体を適正な位置に保持できなくなってしまう恐れが十分にあった。
【０００６】
【課題を解決するための手段】
本発明は、斯る従来の防振型クリップが抱える課題を有効に解決するために開発されたもので、請求項１記載の発明は、棒状体を保持する保持体と、該保持体を連結してパネル側に固定される固定体と、該固定体と保持体の連結部間に介在される振動吸収体とから成り、保持体は、上部に棒状体を保持する受け台を有し、下部に頚片を介して連設された連結板を有し、固定体は、一側面が開放されたボックス部を有して、該ボックス部の上面に開放口と連通するスリットを形成し、振動吸収体は、一側面が開放されたボックス状を呈し、その上面に開放口と連通するスリットを形成して、固定体のボックス部内にセットされた振動吸収体の内部にその開放口から上記保持体の連結板を嵌入することにより、保持体と固定体とを連結する構成を採用した。
【０００７】
請求項２記載の発明は、請求項１を前提として、振動吸収体のスリット周縁に、固定体のボックス部に形成されているスリットの周面を覆う延長片を一体に形成する構成を採用した。
【０００８】
請求項３記載の発明は、請求項１乃至請求項２を前提として、保持体の下面と固定体のボックス部の上面間に、保持体の揺動を許容する隙間を画成する構成を採用した。
【０００９】
請求項４記載の発明は、棒状体を保持する保持体と、該保持体を連結してパネル側に固定される固定体と、該固定体と保持体の連結部間に介在される振動吸収体とから成り、保持体は、上部に棒状体を保持する受け台を有し、下部に一側面が開放されたボックス部を有して、該ボックス部の下面に開放口と連通するスリットを形成し、固定体は、上部に頚片を介して連設された連結板を有し、振動吸収体は、一側面が開放されたボックス状を呈し、その下面に開放口と連通するスリットを形成して、保持体のボックス部内にセットされた振動吸収体の内部に上記固定体の連結板を嵌入することにより、保持体と固定体とを連結する構成を採用した。
【００１０】
請求項５記載の発明は、請求項４を前提として、振動吸収体のスリット周縁に、保持体のボックス部のスリットを経て当該ボックス部の下面を覆う延長片を一体に形成する構成を採用した。
【００１１】
依って、本発明にあっては、ボックス部内に振動吸収体をセットして、当該振動吸収体の内部にその開放口から連結板を嵌入すると、ボックス部と連結板とが保持体と固定体のどちらに設けられていても、その連結部に振動吸収体を介在して、保持体と固定体とが即座に連結される。
【００１２】
そこで、長尺な棒状体を保持する場合には、従来と同様に、保持体の受け台内に棒状体を強制的に嵌め込めば、棒状体が保持体側に保持されることとなる訳であるが、棒状体の受け台に対する嵌め込みに際しても、棒状体の保持状態の下でも、その構造上からして、従来のように、クリップの一部が容易に変形することがないので、嵌め込み作業の効率が低下したり、整列状態にある棒状体を適正な位置に保持できなくなってしまう心配がない。
【００１３】
【発明の実施の形態】
以下、本発明を図示する好適な実施の形態に基づいて詳述する。
第一実施の形態に係る防振型クリップは、図１に示す如く、棒状体を保持する保持体１と、該保持体１を連結してパネル側に固定される固定体２と、該固定体２と保持体１の連結部間に介在する振動吸収体３の３部品から成る。
【００１４】
そして、第１の保持体１は、合成樹脂で矩形状に一体成形されて、その上部長手方向に棒状体を保持する複数の受け台４を形成すると共に、各受け台４の両側縁に下向きの弾性爪５を対の関係をもって斜設する一方、下部中央に当該下部面と平行する連結板６を頚片７を介して一体に連設する構成となっている。
【００１５】
第２の固定体２は、合成樹脂で一体成形されて、一側面が開放されたボックス部８を有し、当該ボックス部８の上面にその開放口８ａと連通して上記保持体１側の頚片７の通過を許容するスリット９を形成する一方、ボックス部８の下面両側に一対の突起１０を突設し、同中央にパネルに穿設されている取付孔に係着する錨状の係止脚１１を一体に垂設する構成となっている。但し、パネル側に対する固定手段に関しては、取付孔を含め、これに限定されるものではない。
【００１６】
第３の振動吸収体３は、合成ゴム等の弾性材料で、固定体２のボックス部８と相似する一側面が開放されたボックス状に成形されて、上面にその開放口３ａと連通して保持体１側の頚片７の通過を許容するスリット１２を形成して、該スリット１２の周縁に、少なくとも、固定体２のボックス部８の上側肉厚分だけ上方に延長する延長片１３を一体に形成する構成となっている。尚、該振動吸収体３は、上記した固定体２のボックス部８内にセットされる関係で、そのボックス形状とスリット形状は、固定体２側のそれよりも一回り小さめに形成されている。
【００１７】
従って、固定体２のボックス部８に形成されているスリット９内に振動吸収体３の延長片１３を臨ましめながら、同ボックス部８内にその開放口８ａから振動吸収体３を嵌入すると、自身の開放口３ａとボックス部８の開放口８ａとが一致する状態をもって、振動吸収体３は固定体２側のボックス部８内に簡単にセットされる。尚、斯るセット状態にあっては、振動吸収体３の延長片１３が固定体２のボックス部８に形成されているスリット９内に収まって、当該スリット９の周面を完全に覆うこととなる。
【００１８】
そこで、後は、振動吸収体３側のスリット１２内に保持体１側の頚片７を臨ましめながら、振動吸収体３の内部にその開放口３ａから保持体１の連結板６を嵌入すると、図２に示す如く、振動吸収体３が介在する状態を得て、保持体１と固定体２とが即座に連結される。
【００１９】
依って、斯る構成の防振型クリップを用いて、ブレーキパイプ等の長尺な棒状体２０をパネルＰ側に整列保持する場合には、連結状態にある固定体２の係止脚１１を、突起１０と共働して、パネルＰに予め穿設されている取付孔Ｈに係着した後、従来と同様に、保持体１の各受け台４内に棒状体２０を強制的に嵌め込めば、図３に示す如く、対の弾性爪５の押え作用を得て、各棒状体２０がパネルＰ面に沿って整列した状態に保持される。
【００２０】
しかし、棒状体２０の各受け台４に対する嵌め込みに際しては、保持体１も固定体２もそれなりの剛性を有している関係で、従来のように、クリップの一部が変形することがないので、各受け台４に棒状体２０をスムーズに嵌め込むことが可能となって、嵌め込み作業の効率が低下する心配が全くなくなるし、又、棒状体２０の保持状態の下でも、やはり、クリップの一部が容易に変形することがないので、整列状態にある棒状体２０を適正な位置に保持できなくなってしまう心配も全くない。
【００２１】
更に、棒状体２０の保持状態の下で、棒状体２０側又はパネルＰ側に機械的な振動が生じたような場合に、当該振動が横方向の振動である時は、固定体２のボックス部８内にセットされている振動吸収体３の両側部と、ボックス部８のスリット９の周面を覆う延長片１３で吸収でき、縦方向の振動である時は、振動吸収体３の上下部で吸収できるので、いずれにしても、棒状体２０側又はパネルＰ側に生じた機械的な振動が他方に伝わることが有効に防止できる。
【００２２】
その上、図示する如く、保持体１の下面と固定体２のボックス部８の上面間に一定の隙間１４を画成する構成となせば、その許容される範囲内で、保持体１自体が頚片７を介して多方向へ自在に揺動することが可能となるので、棒状体２０の移動やズレ等をも効果的に吸収することが可能となる。
【００２３】
又、第一実施の形態の下では、図４のＡ乃至Ｃに示す如く、ボックス状を呈する振動吸収体３の外面と内面の双方、或いは、内外面のいずれか一方に膨出部１５を一定の間隔をおいて形成すれば、振動吸収効果が一層向上することとなるし、同図のＤに示す如く、保持体１の連結板６と振動吸収体３のいずれか一方に凸部１６を形成し、他方に該凸部１６と係合する凹部１７を形成すれば、振動吸収体３の開放口３ａからの連結板６の抜け外れも確実に防止できることとなる。
【００２４】
次に、第二実施の形態に係る防振型クリップを説明すると、当該第二実施の形態にあっても、原理的には、第一実施の形態をそのまま踏襲するものであるが、異なるところは、第一実施の形態におけるボックス部８と連結板６との関係を逆となした点にある。
【００２５】
即ち、第二実施の形態にあっては、図５に示す如く、保持体１の下部に一側面が開放されたボックス部８を一体に連設して、該ボックス部８の下面にその開放口８ａと連通するスリット９を形成し、固定体２の係止脚１１の上部に頚片７を介して連結板６を連設する一方、ボックス状の振動吸収体３に対しては、下面にその開放口３ａと連通するスリット１２を形成して、当該スリット１２の周縁に対して、上記保持体１のボックス部８に形成されているスリット９を経てボックス部８の下面を覆うＬ字状の延長片１３を一体に形成する構成となしたものである。
【００２６】
従って、第二実施の形態の下では、保持体１のボックス部８に形成されているスリット９内に振動吸収体３の延長片１３の一部を臨ましめながら、同ボックス部８内にその開放口８ａから振動吸収体３を嵌入すると、やはり、自身の開放口３ａとボックス部８の開放口８ａとが一致する状態をもって、振動吸収体３は保持体１側のボックス部８内に簡単にセットされる。尚、斯るセット状態にあっては、振動吸収体３のＬ字状の延長片１３の存在によって、ボックス部８のスリット９の周面は勿論のこと、当該ボックス部８の下面も覆われることとなる。
【００２７】
そこで、後は、振動吸収体３のスリット１２に固定体２側の頚片７を臨ましめながら、振動吸収体３の内部にその開放口３ａから固定体２側の連結板６を嵌入すると、やはり、振動吸収体３が介在する状態を得て、保持体１と固定体２とが連結される。
【００２８】
依って、斯る構成の防振型クリップを用いて、ブレーキパイプ等の長尺な棒状体２０をパネルＰ側に整列保持する場合には、連結状態にある固定体２側の係止脚１１をパネルＰの取付孔Ｈに係着した後、保持体１の各受け台４内に棒状体２０を強制的に嵌め込めば、図６に示す如く、対の弾性爪５の押え作用を得て、同様に、各棒状体２０がパネルＰ面に沿って整列した状態に保持される。尚、第二実施の形態においても、先に説明した図４に示す改良構造を付加できることは言うまでもない。
【００２９】
しかし、この場合において、棒状体２０の各受け台４に対する嵌め込みに際しても、棒状体２０の保持状態の下でも、第一実施の形態と同様に、その構造上からして、クリップの一部が変形することがないので、嵌め込み作業の効率が低下する心配や、整列状態にある棒状体２０を適正な位置に保持できなくなってしまう心配は全くない。
【００３０】
又、棒状体２０の保持状態の下で、棒状体２０側又はパネルＰ側に機械的な振動が生じたような場合に、当該振動が横方向の振動である時は、保持体１のボックス部８内にセットされている振動吸収体３の両側部と、ボックス部８のスリット９の周面を覆う延長片１３の一部で吸収でき、縦方向の振動である時は、振動吸収体３の上下部と、ボックス部８の下面とパネルＰ面間に介在する延長片１３で吸収できるので、いずれにしても、やはり、棒状体２０側又はパネルＰ側に生じた機械的な振動が他方に伝わることが有効に防止できる。
【００３１】
【発明の効果】
以上の如く、本発明は、上記構成の採用により、棒状体の受け台に対する嵌め込みに際しても、又、棒状体の保持状態の下でも、その構造上からして、従来のように、クリップの一部が変形することがないので、嵌め込み作業の効率が低下する心配や、整列状態にある棒状体を適正な位置に保持できなくなってしまう心配が全くなくなった。
その上、保持体と固定体とを振動吸収体を介在させて連結することは、振動吸収能力にも優れることは言うまでもないが、ボックス部と振動吸収体とをユニット化して基準パーツとなすことにより、種類の異なる保持体や固定体にも共用できるので、極めて経済的となる。
【００３２】
又、請求項２や請求項５の下では、延長片の存在によって、確実な防振効果が期待できることとなり、請求項３の下では、保持体自体が頚片を介して自在に揺動することが可能となるので、棒状体の移動やズレ等をも効果的に吸収できることとなる。
【図面の簡単な説明】
【図１】本発明の第一実施の形態に係る防振型クリップを分解して示す斜視図である。
【図２】（Ａ）は同防振型クリップを一体化した状態を示す正面図、（Ｂ）は側断面図である。
【図３】同防振型クリップを用いて、棒状体をパネル面に沿って整列保持した状態を示す断面図である。
【図４】（Ａ）乃至（Ｄ）は振動吸収体或いは連結板に改良を施した状態を示す要部説明図である。
【図５】第二実施の形態に係る防振型クリップを分解して示す斜視図である。
【図６】同防振型クリップを用いて、棒状体をパネル面に沿って整列保持した状態を示す断面図である。
【符号の説明】
１    保持体
２    固定体
３    振動吸収体
３ａ  振動吸収体の開放口
４    受け台
５    弾性爪
６    連結板
７    頚片
８    ボックス部
８ａ  ボックス部の開放口
９    ボックス部のスリット
１１  係止脚
１２  振動吸収体のスリット
１３  振動吸収体の延長片
１４  隙間
１５  膨出部
２０  棒状体
Ｐ    パネル
Ｈ    取付孔
【図１】
0003696692.tif 000002
【図２】
0003696692.tif 000003
【図３】
0003696692.tif 000004
【図４】
0003696692.tif 000005
【図５】
0003696692.tif 000006
【図６】
0003696692.tif 000007